(57)【要約】【課題】本発明はガス、石油等を燃料とするバーナを加熱源とする調理器に関するもので、凹凸の少ない五徳を、ガラス天板等の装飾性の高い天板に設置して、フラット感、高級感を高め、同時に多様な被加熱物を安定的に載置できる、手入れ性に優れた調理器を提供することを課題とする。【解決手段】ガラス板１２からなる天板１３のバーナ開口部１４に、被加熱物９を載置する線材構成体２で曲部を構成した五徳１を設置したことで、従来の板材で構成した五徳に比べ、線材構成体２の間隙を通じて、ガラス板１２の上面を見通せる割合が多くなり、五徳１と天板１３の平滑感とが良好に適合し、装飾性、高級感に優れ、手入れ性をも向上した調理器１１を実現することができる。【選択図】  図１
2004219002.tif 000002
【特許請求の範囲】
【請求項１】
内部にバーナを設けたバーナ開口部を有するガラス板で構成された天板と、鍋等の被加熱物を載置するべく金属線材で曲部を構成した線材構成体とそれを支持する枠体からなる五徳を備え、バーナ開口部の周縁部近傍に五徳の枠体を配設した調理器。
【請求項２】
内部にバーナを設けたバーナ開口部を有するステンレス鋼鈑で構成された天板と、鍋等の被加熱物を載置するべく金属線材で曲部を構成した線材構成体とそれを支持する枠体からなる五徳を備え、バーナ開口部の周縁部近傍に五徳の枠体を配設した調理器。
【請求項３】
内部にバーナを設けたバーナ開口部を有する溶融ガラス皮膜を表面に被覆したホーロー処理鋼鈑からなる天板と、鍋等の被加熱物を載置するべく金属線材で曲部を構成した線材構成体とそれを支持する枠体からなる五徳を備え、バーナ開口部の周縁部近傍に五徳の枠体を配設した調理器。
【請求項４】
内部にバーナを設けたバーナ開口部を有するフッソ樹脂皮膜を表面に被覆したフッソ処理鋼鈑からなる天板と、鍋等の被加熱物を載置するべく金属線材で曲部を構成した線材構成体とそれを支持する枠体からなる五徳を備え、バーナ開口部の周縁部近傍に五徳の枠体を配設した調理器。
【請求項５】
バーナは、天板のバーナ開口部の下方に複数の炎口を内方に向かって配設した請求項１〜４のいずれか１項に記載の調理器。
【請求項６】
バーナは、天板のバーナ開口部に複数の炎口を外方に向かって設け、かつ複数の小炎口部あるいは無炎口部を配設した請求項１〜４のいずれか１項に記載の調理器。
【請求項７】
五徳は、中央のバーナに対し、外方に突出させかつ下方に曲げて構成した複数の外曲部と、内方に突出させた複数の内曲部と、外曲部と内曲部を連結する複数の連結部とを線材で構成した線材構成体を備え、連結部をバーナの中央を基点として放射状に伸びる延長線に沿って線材を伸長させると共に、外曲部の下部近傍を枠体で支持した、請求項１〜６のいずれか１項に記載の調理器。
【請求項８】
五徳は、中央のバーナに対し、外方に突出させた複数の外曲部と、内方に突出させかつ下方に曲げて構成した複数の内曲部と、外曲部と内曲部を連結する複数の連結部とを線材で構成した線材構成体を備え、連結部をバーナの中央を基点として放射状に伸びる延長線に沿って線材を伸長させると共に、内曲部の下部近傍を枠体で支持した、請求項１〜６のいずれか１項に記載の調理器。
【発明の詳細な説明】
【０００１】
【発明の属する技術分野】
本発明は、ガス、石油等を燃料とするバーナを加熱源とし、天板等の装飾性、デザイン性を向上することで、高級感を高めた調理器に関するものである。
【０００２】
【従来の技術】
従来この種の調理器は、天板を耐熱性ガラス板等の装飾性の高いもので構成し、金属の板材からなる複数の爪を設けた五徳を設置したものがある（例えば、特許文献１参照。）。この調理器１００は、図１０、図１１に示されているように、化粧耐熱性ガラス板、ホーロー板、化粧ステンレス板等のいずれかで構成された天板１０１のバーナ穴１０２内に、内周炎口バーナ１０３を収納設置し、天板１０１上のバーナ穴１０２に対応する位置に五徳１０４を載置したもので、五徳１０４は、バーナ穴１０２の内径に近接した大きさを有する枠体１０５に、金属の板材からなり、枠体１０５から外方に突出した外延部１０６に天板１０１面に当接する脚部１０７を形成した複数の爪１０８を嵌合して構成したものである。これにより、五徳１０４は、枠体１０５の直径をバーナ穴１０２の内径とほぼ同一の寸法まで小径化して五徳１０４全体を目立たなくでき、被加熱物の安定性を損なうことなく、天板１０１の装飾性および調理器１００のデザイン性を向上させ得るとしている。
【０００３】
【特許文献１】
特開２００１−１９３９４６号公報（段落０００５−０００９、第１図、第２図）
【０００４】
【発明が解決しようとする課題】
しかしながら上記従来の調理器１００の場合、五徳１０４は爪１０８が金属の板材で構成されているため、化粧ガラス板等で構成した天板１０１が平滑感を有している反面、五徳１０４の凹凸感が強調される。すなわち、調理器１００を直上から見た場合は、爪１０８は線状に見えるためある程度目立たなく見えるが、実際に厨房に調理器１００を設置した状態では、ほとんどの場合、調理器１００は斜め横から視野に入るため、爪１０８の広い板面部が強調され、外延部１０６を含め爪１０８全体が大きなものに見え、結果として調理器１００全体が凹凸の多いものに見える。また、実使用上において、例えば五徳１０４を洗浄する際には、通常スポンジタワシなどが使用されるが、爪１０８は脚部１０７を含め凹凸の多い構成であるため、スムーズな洗浄が行えず、ひいてはスポンジタワシの破損を早めることもあった。また爪１０８は、主に外延部１０６で被加熱物を支持することになるため、ミルクパン等の比較的小さな鍋は安定的に載置しにくく、小さな鍋を安定的に載置するためには、爪１０８は外延部１０６とは逆の内方に向かって延引させざるを得ず、さらに爪１０８の存在感、凹凸感が増大するという課題もあった。
【０００５】
本発明は、上記従来の課題を解決するもので、凹凸感を軽減した五徳を、ガラス天板、ステンレス鋼板からなる天板、被覆鋼板からなる天板等に設置して全体のフラット感、高級感を高め、同時に多様な径を持つ鍋等の被加熱物を安定的に載置できる、美観および手入れ性に優れた調理器を提供することを目的とする。
【０００６】
【課題を解決するための手段】
本発明は上記の目的を達成するために、内部にバーナを設けたバーナ開口部を有するガラス板で天板を構成し、天板のバーナ開口部の周縁部近傍に五徳の枠体を配設し、鍋等の被加熱物を載置するべく金属線材で曲部を構成した線材構成体を枠五徳の枠体に支持させた構成である。
【０００７】
上記の発明によれば、五徳は、鍋等の被加熱物を載置する部分を、金属線材で曲部を構成した線材構成体としているため、従来の金属の板材で爪部を構成した場合に比べ、五徳の質感を曲線部が多く凹凸感が少なくフラット感のあるものとすることができる。特に、厨房に本発明の調理器を設置した場合に通常視野に入る状態で斜め横からみた場合、線材構成体の曲部が視野に入ることになり、金属線材と金属線材の間から天板面が見通せる。また、直上から見た場合は、五徳の線材構成体は文字通り線状に見えて目立たない。したがって、直上から見た場合と斜め横から見た場合とで五徳の質感が異なって見えることがなく、全体として天板面が見通せるため、線材構成体の曲線部と耐熱性ガラス天板で構成された天板の平滑感とが良好に適合し、調理器全体の装飾性、高級感を高められる。また、五徳を洗浄する場合、線材構成体は曲部を構成しているため、スムーズにスポンジタワシの摺動が行える。さらに、比較的小さな鍋等の被加熱物に合わせて線材の曲部を構成しても、五徳の凹凸感を増大させることがないため、多様な鍋を安定的に載置することができる。
【０００８】
【発明の実施の形態】
請求項１に記載の発明は、内部にバーナを設けたバーナ開口部を有するガラス板で構成された天板と、鍋等の被加熱物を載置するべく金属線材で曲部を構成した線材構成体とそれを支持する枠体からなる五徳を備え、バーナ開口部の周縁部近傍に五徳の枠体を配設したことにより、金属線材と金属線材の間から天板面が見通せるため、金属の板材で爪部を構成した場合に比べ、曲線部が多く凹凸感の少ないフラットなものとなる。したがって、五徳の線材構成体の曲線部とガラス板で構成された天板の平滑感とが良好に適合し、調理器全体の装飾性、高級感を高めることができる。また、五徳を洗浄する場合、線材構成体は曲部を構成しているため、スポンジタワシの係止がほとんど無く摺動が行え、スポンジタワシを破損することが少ない。さらに、比較的小さな鍋等の被加熱物に合わせて線材の曲部を構成しても、板材で爪部を構成した場合に比べ五徳の凹凸感を増大させることがなく、多様な鍋を安定的に載置することができる。以上のように、多様な径を持つ鍋等の被加熱物を安定的に載置でき、装飾性、高級感を高め、さらに手入れ性に優れた調理器を提供することができる。
【０００９】
請求項２に記載の発明は、内部にバーナを設けたバーナ開口部を有するステンレス鋼鈑で構成された天板と、鍋等の被加熱物を載置するべく金属線材で曲部を構成した線材構成体とそれを支持する枠体からなる五徳を備え、バーナ開口部の周縁部近傍に五徳の枠体を配設したことにより、金属の板材で爪部を構成した場合に比べ、曲線部が多く凹凸感の少ないフラットなものとなると同時に、ステンレス鋼鈑で構成された天板の金属光沢と五徳の線材構成体の金属光沢とが良好に適合し、装飾性、高級感、および耐久性を高められる調理器を提供することができる。
【００１０】
請求項３に記載の発明は、内部にバーナを設けたバーナ開口部を有する溶融ガラス皮膜を表面に被覆したホーロー処理鋼鈑からなる天板と、鍋等の被加熱物を載置するべく金属線材で曲部を構成した線材構成体とそれを支持する枠体からなる五徳を備え、バーナ開口部の周縁部近傍に五徳の枠体を配設したことにより、ホーロー処理鋼鈑からなる天板の表面にガラス板と同様の質感を確保できるだけでなく、ガラス板の場合に比べて耐熱性、強度を確保できるため、装飾性、高級感を高められかつ耐久性に優れた調理器を提供することができる。
【００１１】
請求項４に記載の発明は、内部にバーナを設けたバーナ開口部を有するフッ素樹脂皮膜を表面に被覆したフッソ処理鋼鈑からなる天板と、鍋等の被加熱物を載置するべく金属線材で曲部を構成した線材構成体とそれを支持する枠体からなる五徳を備え、バーナ開口部の周縁部近傍に五徳の枠体を配設したことにより、天板面に煮こぼれが発生した場合でも容易に掃除することができるため、全体の装飾性、高級感を高め、かつ全体的な手入れ性に優れた調理器を提供することができる。
【００１２】
請求項５に記載の発明は、天板のバーナ開口部の下方に、複数の炎口を内方に向かって配設したバーナを設けたことにより、バーナは、燃焼完結のための燃焼空間をバーナ開口部の下方で確保でき、火炎は完全燃焼しながら中央に集中して上昇し、鍋底に接触したのち放射状に拡散するので、バーナ開口部の開口径を比較的小さなものにでき、さらに五徳の載置部と天板との距離を接近させることができる。従って、段差の低いフラットな五徳を備え、かつ広い天板面を確保した調理器を実現できる。
【００１３】
請求項６に記載の発明は、天板のバーナ開口部に、複数の炎口を外方に向かって設け、かつ複数の小炎口部あるいは無炎口部を配設したバーナを設けたことにより、バーナの小炎口部あるいは無炎口部に対応する位置に、五徳の線材構成体を配設することにより、燃焼ガスの流れを阻害することなく、線材構成体に被加熱物を載置した時の天板との距離を接近させることができ、同時に五徳の過熱を防止できる。したがって、フラットで耐久性の高い五徳を備えた調理器を実現することができる。
【００１４】
請求項７に記載の発明は、五徳は、中央のバーナに対し、外方に突出させかつ下方に曲げて構成した複数の外曲部と、内方に突出させた複数の内曲部と、外曲部と内曲部を連結する複数の連結部とを金属線材で構成した線材構成体を備え、連結部をバーナの中央を基点として放射状に伸びる延長線に沿って金属線材を伸長させると共に、外曲部の下部近傍を枠体で支持したことにより、比較的大きな重い鍋等の被加熱物が載置された場合でも、線材構成体と枠体の両方で荷重を支えることができるため、五徳全体の変形を防止できるだけでなく、載置される鍋と枠体との間に必然的に排気通路が構成され、また連結部がバーナの中央を基点として放射状に設けられているため燃焼ガスの流れを阻害することがなく、良好な燃焼状態と均一な加熱分布を確保できるため、良好な燃焼状態を維持して高い熱効率を確保することができる。また、小径の鍋や底の丸い鍋等が載置された場合は、鍋は内曲部に必ず複数箇所接触することになり、同様に安定的に載置できる。さらに、金属線材で構成することにより、比較的スムーズに洗浄が行え、かつ従来の金属の板材で構成された五徳に比べ斬新性を確保して、フラット感を持った美観のある五徳を搭載した調理器を実現することができる。
【００１５】
請求項８に記載の発明は、五徳は、中央のバーナに対し、外方に突出させた複数の外曲部と、内方に突出させかつ下方に曲げて構成した複数の内曲部と、外曲部と内曲部を連結する複数の連結部とを線材で構成した線材構成体を備え、連結部をバーナの中央を基点として放射状に伸びる延長線に沿って線材を伸長させると共に、内曲部の下部近傍を枠体で支持したことにより、同様に燃焼ガスの流れを阻害せず、多様な鍋を安定的に載置でき、フラット感を持った美観のある五徳が得られるが、特に、長年の使用で底が丸くなった重い鍋や大きな鍋のような被加熱物が載置された場合でも、前述の鍋は内曲部に必ず複数箇所接触することになるため、荷重の大半は、最も強固な構成である内曲部と枠体にかかることになり、五徳全体の変形を防止することができる。
【００１６】
【実施例】
以下、本発明の実施例について図面を用いて説明する。
【００１７】
（実施例１）
本発明の実施例１について図１、図２を参照して説明する。図１は、本実施例の調理器の上面図、図２は、同調理器のＡ−Ａ断面図である。
【００１８】
図において、五徳１は、線径５〜６ｍｍ程度の３本の軟鋼線材を曲げ加工した線材構成体２に、線材構成体２を下方から支持するフランジ状の枠体３に固定した構成である。線材構成体２は、バーナ４の中心Ｓを基点として外方に突出させ、かつ下方に曲げて略横Ｕ字状に構成した６箇所の外曲部５と、略平面上で内方に曲げて突出させた３箇所の内曲部６と、外曲部５と内曲部６を連結する６箇所の連結部７とで構成され、１本の線材で１箇所の内曲部６、２箇所の外曲部５、２箇所の連結部７を形成している。また、外曲部の下部近傍８にあたる線材の端部を枠体３に固定したことにより、内曲部６、連結部７および外曲部５の上部は側方から見て略平面を形成しており、ここで鍋等の被加熱物９を載置する部分を構成している。さらに、連結部７および外曲部５は、上面から見てバーナ４の中心Ｓを基点として、６０°の角度で放射状に伸びる延長線１０に沿って伸長させてある。本実施例では、外曲部５は略横Ｕ字状に構成したが、略横Ｖ字状、略コの字状であっても基本的に差し支えなく、さらに線材は、軸方向の断面形状が円形のものを用いたが、断面形状が楕円または方形であっても差し支えない。
【００１９】
また、調理器１１本体は、比較的耐熱性と強度のある表面が平滑なガラス板１２からなる天板１３のバーナ開口部１４の下方に、内周面上部を約７５°程度に上向きに傾斜させた傾斜面１５に、スリット幅約０．５５〜０．６５ｍｍで上下方向に開口するスリット状の炎口１６を内方に向かって配設した環状のバーナ４を設けたもので、バーナ開口部１４の周囲には、ガラス板１２の開口端面を保護するための保護枠１７が装着され、バーナ４と保護枠１７の間には、二次空気をバーナ４上に流入させるためのエアガイド１８が装着されている。また、スリット状の炎口１６は、長スリット炎口群１９の間に短スリット炎口２０を交互に配置した構成である。
【００２０】
一方、天板１３と五徳１の位置関係は、五徳１の枠体３が保護枠１７のフランジ部に落し込まれた形でバーナ開口部１４に設置され、枠体３の上面と保護枠１７の外周面とはほぼ面位置を形成している。
【００２１】
次に、動作、作用について説明すると、何らかの操作で、燃料予混合ガスがバーナ４内に導入され点火されると、スリット状の炎口１６はスリット幅０．５５〜０．６５ｍｍ程度の細スリットで構成しているので、高一次空気比でも逆火しにくくなっている。したがって、比較的一次空気比の高い約６０〜７０％の燃料予混合ガスを導入でき、スリット状の炎口１６で、中央に向かって斜め上向きの火炎２１を形成するが、この火炎２１の上昇気流によってエアガイド１８とバーナ４の間に二次空気２２が吸引され、火炎２１をより中央に寄せることができる。また、バーナ４の下方からも別の二次空気２３が発生して火炎２１内に拡散するため、二次空気２２、２３によって燃焼が促進される。
【００２２】
また、炎口を縦長のスリット状の炎口１６で構成したことにより、隣り合うスリット状の炎口１６の間に下方からの二次空気２３を効果的に流入させることができる。また、隣合う長スリット炎口群１９の間に短スリット炎口２０を配置した構成により、大燃焼量の場合は、短スリット炎口２０が長スリット炎口群１９で形成される火炎２１同士の干渉を抑制して火炎２１を分割して短炎化を実現するとともに、長スリット炎口群１９の間の火移りを良好にできる。このようにバーナ開口部１４の下方に、バーナ４が設置されているので、火炎２１は燃焼完結のための燃焼空間を確保でき、完全燃焼しながらＣＯの少ない燃焼ガス２４として一旦中央に集中して上昇し、被加熱物９の底面に接触したのち、周囲へ放射状に上昇気流となって拡散するため、天板１３のバーナ開口部１４の開口径を小さくできる。
【００２３】
また、連結部７がバーナ４の中心Ｓを基点としてその円周を６分割するように放射状に伸びる延長線１０に沿って伸長しているため、燃焼ガス２４の流れを阻害することがない。そのため、燃焼ガス２４は被加熱物９の側面を加熱しながら周囲へスムーズに排出されるので、外曲部５の上下方向の曲げ寸法に相当する排気通路２５の高さを低くできる。したがって、凹凸感が少なくフラットな五徳１を装着した調理器１１とすることができる。
【００２４】
また、被加熱物９が比較的大きな鍋や重い鍋であっても、外曲部５と枠体３の両方で荷重を支えることができるため、五徳１全体の変形を防止することができる。また、被加熱物９が小径の鍋や底の丸い鍋である場合は、被加熱物９は内曲部６に必ず接触することになり、同様に安定的に載置できる。さらに、線材構成体２は曲線のループ構成であるため、五徳１をスポンジタワシなどで洗浄する際に、係止や破損が少なくスムーズに洗浄することができる。
【００２５】
以上述べた調理器１１を厨房に設置した場合、従来の金属の板材で爪部を構成したものと比べ、線材構成体２の金属線材と金属線材の間を通じて、天板１３のガラス板１２を見通せる割合が多くなり、五徳１自体がフラットで目立ちにくいものとなる。したがって、五徳１の線材構成体２の曲線部とガラス板１２で構成された天板１３の平滑感とが良好に適合し、装飾性、高級感に優れ、手入れ性をも向上したフラット感のある調理器１１を実現することができる。
【００２６】
（実施例２）
本発明の実施例２について、図３、図４を参照して説明する。図３は、本実施例の調理器の上面図、図４は、同調理器のＢ−Ｂ断面図である。
【００２７】
図において、調理器３１が実施例１と異なる点は、第一に、実施例１より１０〜１５％開口径の大きいバーナ開口部３２を設けたガラス板３３からなる天板３４を用い、バーナ開口部３２の開口端面を保護する保護枠３５を装着し、バーナ開口部３２に複数の炎口３６を外周方向に向かって設け、かつ６箇所の小炎口部３７を配設したバーナ３８を設けたところである。第二に、五徳３９の線材構成体４０は、バーナ３８の中心を基点として外方に突出させ、かつ下方に曲げて略横Ｕ字状に構成した６箇所の外曲部４１と、略平面上で内方に曲げて突出させた３箇所の内曲部４２と、外曲部４１と内曲部４２を連結する６箇所の連結部４３とで構成し、外曲部の下部近傍４４にあたる金属線材の端部をバーナ開口部３２の開口径に相当する外径の枠体４５に固定し、６箇所の外曲部４１と連結部４３の位置を、バーナ３８の６箇所の小炎口部３７と対応させたところである。また、本実施例ではバーナ３８には小炎口部３７を設けたが、無炎口部であっても差し支えない。
【００２８】
なお、実施例と同一符号のものは同一構造を有し、説明は省略する。
【００２９】
次に動作、作用について説明すると、バーナ３８の炎口３６で火炎４６が形成されると、炎口３６と小炎口部３７とに対応した火炎分布が形成される。この時、五徳３９の連結部４３と外曲部４１は小炎口部３７に対応し、火炎４６と接触する割合が少ないため線材構成体４０は過熱することがなく、また火炎４６からの燃焼ガスの流れを阻害しない。したがって、外曲部４１の上下の曲げ寸法に相当する排気通路４７から、燃焼ガス４８をスムーズに排出することができる。したがって、良好な燃焼状態を維持でき、五徳３９の耐久性も向上させることができる。したがって、装飾性、高級感に優れ、耐久性をも向上した調理器３１を実現することができる。
【００３０】
（実施例３）
本発明の実施例３について図５、図６を参照して説明する。図５は、本実施例の調理器の上面図、図６は、同調理器のＣ−Ｃ断面図である。図において、本実施例の調理器５１が実施例１と異なる点は、五徳５２を、線材構成体５３を枠体５４に固定した構成とし、中央のバーナ４に対し、外方に突出させた３箇所の外曲部５５と、内方に突出させかつ下方に曲げて構成した６箇所の内曲部５６、外曲部５５と内曲部５６を連結する６箇所の連結部５７とを構成し、連結部５７をバーナ４の中央を基点として放射状に伸びる延長線５８に沿って線材を伸長させ、内曲部の下部近傍５９を枠体５４に固定したところである。
【００３１】
なお、実施例１同一符号のものは同一構造を有し、説明は省略する。
【００３２】
次に動作、作用について説明すると、被加熱物９を五徳５２に載置する場合、被加熱物９は線材構成体５３の内曲部５６の上部、連結部５７および外曲部５５に載置されることになり、線材構成体５３と被加熱物９との間には、内曲部５６の上下方向の曲げ寸法に相当する排気通路６０が形成される。また、バーナ４からの火炎２１は、完全燃焼しながらＣＯの少ない燃焼ガス２４として一旦中央に集中して上昇し、被加熱物９の底面に接触したのち、周囲へ放射状に上昇気流となって拡散する。この時、五徳５２の内曲部５６は線材を下方に曲げて構成しているため、内曲部５６の曲線部分に燃焼ガス２４が沿うように流れるため、内曲部５６が燃焼ガス２４中に突入する割合が少ない。また、連結部５７は、バーナ４の中央を基点Ｓとして放射状に伸びる延長線５８に沿って線材を伸長させた構成となっているため、連結部５７は燃焼ガス２４の放射状の流れを阻害することが少ないため、良好な燃焼状態を維持することができる。また、燃焼ガス２４は、前述のように比較的完全燃焼に近い状態で排出されるため、内曲部５６の曲げ寸法を大きくとる必要がなく、その結果天板１３から五徳５２の線材構成体５３の上面までの距離は短くできる。したがって、したがって、装飾性、高級感に優れたフラットな調理器５１を実現することができる。
【００３３】
（実施例４）
本発明の実施例４について、図７を参照して説明する。図７は、本実施例の調理器の部分断面図である。
【００３４】
図において、調理器６１が実施例１と異なる点は、周囲にフランジ部６２を設けたバーナ開口部６３を配設したステンレス鋼鈑６４で天板６５を構成し、五徳１の枠体３をバーナ開口部６３のフランジ部６２に載置したところである。
【００３５】
なお、実施例１と同一符号のものは同一構造を有し、説明は省略する。
【００３６】
次に動作、作用について説明すると、ステンレス鋼鈑６４で構成された天板６５の金属光沢と五徳１の線材構成体２の金属光沢とが良好に適合するだけでなく、ステンレス鋼板６４を用いることにより耐熱耐食性を向上させた天板６５とすることができる。したがって、線材構成体２で構成した五徳１の斬新性、美観性との相乗作用により、全体として装飾性、高級感を高められると同時に耐久性も向上した調理器６１を実現することができる。
【００３７】
（実施例５）
本発明の実施例５について、図８を参照して説明する。図８は、本実施例の調理器の部分断面図である。
【００３８】
図において、調理器７１が実施例４と異なる点は、周囲にフランジ部７２を設けたバーナ開口部７３を配設した鋼鈑の表面に、溶融ガラス皮膜７４を形成したホーロー処理鋼板７５で天板７６を構成し、五徳１の枠体３をバーナ開口部７３のフランジ部７２に載置したところである。
【００３９】
なお、実施例１と同一符号のものは同一構造を有し、説明は省略する。
【００４０】
次に動作、作用について説明すると、天板７６をホーロー処理鋼鈑７５で構成することにより、天板７６の表面にガラス板と同様の質感を確保できるだけでなく、ガラス板の場合に比べて耐熱性、強度を確保できる。したがって、線材構成体２で構成した五徳１の斬新性、美観性との相乗作用により、装飾性、高級感を高めかつ耐久性に優れた調理器７１を実現することができる。
【００４１】
（実施例６）
本発明の実施例６について、図９を参照して説明する。図９は、本実施例の調理器の部分断面図である。
【００４２】
図において、調理器８１が実施例５と異なる点は、周囲にフランジ部８２を設けたバーナ開口部８３を配設した鋼鈑の表面に、フッソ樹脂皮膜８４を形成したフッソ処理鋼板８５で天板８６を構成し、五徳１の枠体３をバーナ開口部８３のフランジ部８２に載置したところである。
【００４３】
次に動作、作用について説明すると、天板８６の上面に煮こぼれが発生した場合でも天板８６の上面にこびりつくことがなく容易に掃除することができるため、線材構成体２で構成した五徳１の斬新性、美観性との相乗作用により、全体の装飾性、高級感を高め、かつ全体的な手入れ性に優れた調理器８１を実現することができる。
【００４４】
【発明の効果】
以上のように、本発明によれば、線材構成体によって曲部を形成し凹凸感を軽減した五徳を、ガラス天板、ステンレス鋼板からなる天板、被覆鋼板からなる天板等に設置して全体の装飾性、フラット感、高級感を高め、同時に多様な径を持つ鍋等の被加熱物を安定的に載置できる、手入れ性に優れた調理器を実現することができる。
【図面の簡単な説明】
【図１】本発明の実施例１の調理器の上面図
【図２】本発明の実施例１の調理器のＡ−Ａ断面図
【図３】本発明の実施例２の調理器の上面図
【図４】本発明の実施例２の調理器のＢ−Ｂ断面図
【図５】本発明の実施例３の調理器の上面図
【図６】本発明の実施例３の調理器のＣ−Ｃ断面図
【図７】本発明の実施例４の調理器の部分断面図
【図８】本発明の実施例５の調理器の部分断面図
【図９】本発明の実施例６の調理器の部分断面図
【図１０】従来の調理器の上面図
【図１１】同従来の調理器のＤ−Ｄ断面図
【符号の説明】
１、３９、５２  五徳
２、４０、５３  線材構成体
３、４５、５４  枠体
５、４１、５５  外曲部
６、４２、５６  内曲部
７、４３、５７  連結部
９  被加熱物
１０  延長線
１１、３１、５１、６１、７１、８１  調理器
１２、３３  ガラス板
１３、３４、６５、７６、８６  天板
１４、３２、６３、７３、８３  バーナ開口部
１６、３６  炎口
４、３８  バーナ
８、４４  外曲部の下部近傍
１０、５８  延長線
３７  小炎口部
５９  内曲部の下部近傍
６４  ステンレス鋼板
７４  溶融ガラス皮膜
７５  ホーロー処理鋼板
８４  フッソ樹脂皮膜
８５  フッソ処理鋼板
【図１】
2004219002.tif 000003
【図２】
2004219002.tif 000004
【図３】
2004219002.tif 000005
【図４】
2004219002.tif 000006
【図５】
2004219002.tif 000007
【図６】
2004219002.tif 000008
【図７】
2004219002.tif 000009
【図８】
2004219002.tif 000010
【図９】
2004219002.tif 000011
【図１０】
2004219002.tif 000012
【図１１】
2004219002.tif 000013